(57)【特許請求の範囲】
【請求項１】
上面が開放されたトイレ容器本体と、前記トイレ容器本体内に収容される猫砂と、少なくとも一部に網状部を有するかご体と、を備え、前記かご体は、前記トイレ容器本体内の前記猫砂にその底部が埋まるように配設され、前記かご体を上方に持ち上げると、前記かご体内の前記猫砂は、前記網状部の網目を通して外側に流れ落ちることを特徴とする動物用トイレ。
【請求項２】
開口を有する蓋体を更に備え、前記蓋体が前記トイレ容器本体の前記上面開口を覆うように着脱自在に装着され、前記かご体は前記蓋体の前記開口の下方に配設されることを特徴とする請求項１に記載の動物用トイレ。
【請求項３】
前記かご体は、かご本体部と、このかご本体部に取り付けられた取っ手部とを備え、前記かご本体部は、底壁と、前記底壁の外周部から上方に延びる側壁とを有し、前記底壁の少なくとも一部及び／又は前記側壁の少なくとも一部に前記網状部を有していることを特徴とする請求項１又は２に記載の動物用トイレ。
【請求項４】
前記かご体の前記底壁の少なくとも一部は、開閉自在な開閉底壁部として構成され、前記底壁の前記開閉底壁部に関連して、前記開閉底壁部を閉状態にロック保持するためのロック手段が設けられており、前記ロック手段によるロック状態を解除すると、前記開閉底壁部が開状態となって前記かご本体部の底面開口が開放されることを特徴とする請求項３に記載の動物用トイレ。
【請求項５】
前記かご体の前記側壁の少なくとも一部は、開閉自在な開閉側壁部として構成され、前記開閉側壁部に関連して、前記開閉側壁部を閉状態にロック保持するためのロック手段が設けられており、前記ロック手段によるロック状態を解除すると、前記開閉側壁部が開状態となって前記かご本体部の側面開口が開放されることを特徴とする請求項３に記載の動物用トイレ。
【請求項６】
前記かご本体部の前記底壁の少なくとも一部は、開閉自在な開閉底壁部として構成され、また、前記底壁の前記開閉底壁部と接する前記かご本体部の一側壁の少なくとも一部は、開閉自在な開閉側壁部として構成され、前記開閉底壁部及び前記開閉側壁部に関連して、前記開閉底壁部及び前記開閉側壁部を閉状態にロック状態に保持するためのロック手段が設けられており、前記ロック手段によるロック状態を解除すると、前記開閉底壁部が開状態となって前記かご本体部の底面開口が開放されるとともに、前記開閉側壁部が開状態となって前記かご本体部の側面開口が開放されることを特徴とする請求項３に記載の動物用トイレ。
【請求項７】
前記かご体の前記底壁は、内側に配設されたプレート状底壁部と、外側に配設された網状底壁部とを有し、前記プレート状底壁部及び前記網状底壁部は、前記かご本体部の底面開口を開放する開状態と、この底面開口を閉塞する閉状態との間を開閉自在に装着されており、排泄物を取り出す際に前記プレート状底壁部を開状態にすると、前記かご本体部内の猫砂が前記かご本体部の底面開口及び前記網状底壁部を通して落下し、次いで前記網状底壁部を開状態にすると、前記かご本体部内の排泄物が前記かご本体部の底面開口を通して落下することを特徴とする請求項３に記載の動物用トイレ。
【請求項８】
前記かご体の前記底壁は、内側に配設された網状底壁部と、外側に配設されたプレート状底壁部とを有し、前記網状底壁部及び前記プレート状底壁部は、前記かご本体部の底面開口を開放する開状態と、この底面開口を閉塞する閉状態との間を開閉自在に装着されており、排泄物を取り出す際に前記プレート状底壁部を開状態にすると、前記かご本体部内の猫砂が前記かご本体部の底面開口及び前記網状底壁部を通して落下し、次いで前記網状底壁部を開状態にすると、前記かご本体部内の排泄物が前記かご本体部の底面開口を通して落下することを特徴とする請求項３に記載の動物用トイレ。
【発明の詳細な説明】
【技術分野】
【０００１】
本発明は、トイレ容器本体に猫砂を収容して用いる動物用トイレに関する。
【背景技術】
【０００２】
一般的に、猫砂を用いた動物用トイレ（例えば、猫用トイレ）はトイレ容器本体を備え、このトイレ容器本体内に猫砂が収容され、このトイレ容器本体の上面開口を覆うように蓋体が装着され、この動物用トイレを使用する動物（例えば、猫）は、この蓋体に設けられた開口を通して、或いはこの開口から猫砂の上におりてトイレ容器本体内の猫砂に排泄するようになる。トイレ容器本体の上面開口は例えば円形状であり、その上面開口の大きさは、直径が少なくとも３０〜５０ｃｍ程度である。
【０００３】
この動物用トイレに排泄された排泄物の処理は、猫砂の中（又は上）で固まった排泄物をスコップ（例えば、すのこのあるもの）などで掘り起こし、排泄物についた猫砂をふるい落としながら取り除いており、それ故に、その処理が大変で、時間を要していた。
【０００４】
このようなことから、排泄物の処理を簡単にした動物用トイレが提案されている（例えば、特許文献１参照）。この動物用トイレは、猫砂を収容するトイレ容器本体と、この猫砂を所要の通りに攪拌するための攪拌羽根と、攪拌羽根を回転駆動するための駆動源と、を備え、駆動源によって、攪拌羽根が所定方向に回転駆動される。攪拌羽根が所定方向に回動されると、トイレ容器本体内の猫砂は、径方向外方に移動され、更に周側壁に沿って上方移動された後にトイレ容器本体の中央部に流下し、このように猫砂が循環移動することによって、猫砂内の排泄物が猫砂にまぶされた状態でトイレ容器本体の中央部付近に集められる。そして、このようにトイレ容器本体の中央部に集められた排泄物を、スコップなどを用いて取り除けばよく、排泄物の除去作業を容易に行うことができる。
【先行技術文献】
【特許文献】
【０００５】
【特許文献１】特許第４３６４４２１２号公報
【発明の概要】
【発明が解決しようとする課題】
【０００６】
しかしながら、上述した動物用トイレでは、次のような解決すべき問題がある。即ち、攪拌羽根を回動させる時期、その時間、回動させる速さなどの制御の最適化が難しく、これを最適に制御しないと、排泄物を完全に取り出すことができず、固まりになった排泄物から汚れた猫砂がはがれ落ち、臭いの付いた猫砂が残った猫砂に混じってしまい、臭いを抑えることができなくなる。また、猫砂を攪拌するための羽根、それを駆動させるための駆動源などを必要とするために、その構造が複雑になるとともに、その製作コストも高価となる。
【０００７】
本発明の目的は、簡単な構成でもってトイレ容器本体内の猫砂に排泄した排泄物を容易に取り出すことができる動物用トイレを提供することである。
【課題を解決するための手段】
【０００８】
本発明の請求項１に記載の動物用トイレは、上面が開放されたトイレ容器本体と、前記トイレ容器本体内に収容される猫砂と、少なくとも一部に網状部を有するかご体と、を備え、前記かご体は、前記トイレ容器本体内の前記猫砂にその底部が埋まるように配設され、前記かご体を上方に持ち上げると、前記かご体内の前記猫砂は、前記網状部の網目を通して外側に流れ落ちることを特徴とする。
【０００９】
また、本発明の請求項２に記載の動物用トイレでは、開口を有する蓋体を更に備え、前記蓋体が前記トイレ容器本体の前記上面開口を覆うように着脱自在に装着され、前記かご体は前記蓋体の前記開口の下方に配設されることを特徴とする。
【００１０】
また、本発明の請求項３に記載の動物用トイレでは、前記かご体は、かご本体部と、このかご本体部に取り付けられた取っ手部とを備え、前記かご本体部は、底壁と、前記底壁の外周部から上方に延びる側壁とを有し、前記底壁の少なくとも一部及び／又は前記側壁の少なくとも一部に前記網状部を有していることを特徴とする。
【００１１】
また、本発明の請求項４に記載の動物用トイレでは、前記かご体の前記底壁の少なくとも一部は、開閉自在な開閉底壁部として構成され、前記底壁の前記開閉底壁部に関連して、前記開閉底壁部を閉状態にロック保持するためのロック手段が設けられており、前記ロック手段によるロック状態を解除すると、前記開閉底壁部が開状態となって前記かご本体部の底面開口が開放されることを特徴とする。
【００１２】
また、本発明の請求項５に記載の動物用トイレでは、前記かご体の前記側壁の少なくとも一部は、開閉自在な開閉側壁部として構成され、前記開閉側壁部に関連して、前記開閉側壁部を閉状態にロック保持するためのロック手段が設けられており、前記ロック手段によるロック状態を解除すると、前記開閉側壁部が開状態となって前記かご本体部の側面開口が開放されることを特徴とする。
【００１３】
また、本発明の請求項６に記載の動物用トイレでは、前記かご本体部の前記底壁の少なくとも一部は、開閉自在な開閉底壁部として構成され、また、前記底壁の前記開閉底壁部と接する前記かご本体部の一側壁の少なくとも一部は、開閉自在な開閉側壁部として構成され、前記開閉底壁部及び前記開閉側壁部に関連して、前記開閉底壁部及び前記開閉側壁部を閉状態にロック状態に保持するためのロック手段が設けられており、前記ロック手段によるロック状態を解除すると、前記開閉底壁部が開状態となって前記かご本体部の底面開口が開放されるとともに、前記開閉側壁部が開状態となって前記かご本体部の側面開口が開放されることを特徴とする。
【００１４】
また、本発明の請求項７に記載の動物用トイレでは、前記かご体の前記底壁は、内側に配設されたプレート状底壁部と、外側に配設された網状底壁部とを有し、前記プレート状底壁部及び前記網状底壁部は、前記かご本体部の底面開口を開放する開状態と、この底面開口を閉塞する閉状態との間を開閉自在に装着されており、排泄物を取り出す際に前記プレート状底壁部を開状態にすると、前記かご本体部内の猫砂が前記かご本体部の底面開口及び前記網状底壁部を通して落下し、次いで前記網状底壁部を開状態にすると、前記かご本体部内の排泄物が前記かご本体部の底面開口を通して落下することを特徴とする。
【００１５】
また、本発明の請求項８に記載の動物用トイレでは、前記かご体の前記底壁は、内側に配設された網状底壁部と、外側に配設されたプレート状底壁部とを有し、前記網状底壁部及び前記プレート状底壁部は、前記かご本体部の底面開口を開放する開状態と、この底面開口を閉塞する閉状態との間を開閉自在に装着されており、排泄物を取り出す際に前記プレート状底壁部を開状態にすると、前記かご本体部内の猫砂が前記かご本体部の底面開口及び前記網状底壁部を通して落下し、次いで前記網状底壁部を開状態にすると、前記かご本体部内の排泄物が前記かご本体部の底面開口を通して落下することを特徴とする。
【発明の効果】
【００２７】
本発明の請求項１に記載の動物用トイレによれば、トイレ容器本体内に猫砂が収容され、動物（例えば、猫）はトイレ容器本体の上面開口から猫砂の上におりてトイレ容器本体内に排泄物を排泄する。このトイレ容器本体内にはかご体が設けられ、このかご体は、その底部が猫砂に埋まるように配設される。従って、猫の排泄物は、かご体内の猫砂に排泄され、かご体内に収容される。排泄物を取り出す際には、かご体を持ち上げればよく、この持ち上げる際にかご体内の猫砂をその網状部を通して落下させることによって、かご体内に排泄物が残り、トイレ容器本体内から排泄物を容易に取り除くことができる。また、このように構成することによって、排泄物（特に、尿）により固まった猫砂がこの網状部に絡んで大きく成長しても、かご体を持ち上げることによって、固まった猫砂を取り出すことができる。かくして、トイレ容器本体に排泄物及び固まった猫砂が固着することはなく、トイレ容器本体をきれいな状態に保ち、水洗いする頻度を少なくすることができる。尚、猫砂とは、砂のみならず、紙、おから、木などから作られたものを含む概念である。
【００２８】
また、本発明の請求項２に記載の動物用トイレによれば、トイレ容器本体の上面開口に蓋体が装着され、この蓋体の開口の下方にかご体が配設されるので、動物（例えば、猫）は蓋体の開口を通して、或いはこの上面開口から猫砂の上におりてトイレ容器本体内に排泄物を排泄する。従って、動物の排泄物は、かご体内の猫砂に排泄され、かご体内に確実に収容される。排泄物を取り出す際には、蓋体を外してかご体を持ち上げればよく、排泄物を容易に取り除くことができる。
【００２９】
また、本発明の請求項３に記載の動物用トイレによれば、かご体は、かご本体部と、このかご本体部に取り付けられた取っ手部とを備えているので、この取っ手を掴むことによって、容易に持ち上げることができる。また、かご本体部の底壁の少なくとも一部（及び／又は側壁の少なくとも一部）に網状部を有しているので、かご本体部内の猫砂は底壁（及び／又は側壁）の網状部を通して除くことができる。底壁を網状部から構成した場合、かご本体部内の猫砂はこの底壁（網状部）を通して除くことができる。この底壁をプレート状のものから構成した場合、排泄物が底壁に達したときでも網状部で構成した場合に比べて、その取り出しを容易に行うことができる。尚、この場合、このプレート状底壁を撥水性のシートで覆うことにより、底壁への排泄物の付着を抑えることができる。
【００３０】
また、本発明の請求項４に記載の動物用トイレによれば、かご体の底壁の少なくとも一部が開閉底壁部として構成されているので、ロック手段によるロック状態を解除すると、この開閉底壁部が開状態となってかご本体部の底面開口が開放され、この開放された底面開口を通してかご体内に残った排泄物を容易に排出することができる。尚、底壁全体を開閉底壁部とするようにしてもよく、この場合、かご体の底面開口を大きく開放することができる。
【００３１】
また、本発明の請求項５に記載の動物用トイレによれば、かご体の側壁の少なくとも一部が開閉側壁部として構成されているので、ロック手段によるロック状態を解除すると、この開閉側壁部が開状態となってかご本体部の側面開口が開放され、この開放された側面開口を通してかご体内に残った排泄物を容易に排出することができる。尚、一側壁全体を開閉側壁部とするようにしてもよく、この場合、かご体の側面開口を大きく開放することができる。
【００３２】
また、本発明の請求項６に記載の動物用トイレでは、かご本体部の底壁の開閉底壁部が開閉自在であるとともに、その一側壁の開閉側壁部が開閉自在であるので、ロック手段によるロック状態を解除すると、開閉底壁部が開状態となってかご本体部の底面開口が開放されるとともに、開閉側壁部が開状態となってかご本体部の側面開口が開放され、従って、底面開口から側面開口にわたって大きく開放された開口を通してかご本体部内の排泄物を容易に排出することができるとともに、かご本体部に付着した排泄物を容易に取り除くことができる。
【００３３】
また、本発明の請求項７に記載の動物用トイレによれば、かご体の底壁は、内側に配設されたプレート状底壁部と、外側に配設された網状底壁部とを有し、これらプレート状底壁部及び網状底壁部が開閉自在であるので、排泄物を取り出す際にプレート状底壁部を開状態にすることにより、かご本体部内の猫砂をかご本体部の底面開口及び網状底壁部を通して取り除くことができ、この状態から更に網状底壁部を開状態にすることによって、かご本体部内の排泄物をかご本体部の底面開口を通して取り除くことができ、このようにして排泄物を容易に取り除くことができる。
【００３４】
また、本発明の請求項８に記載の動物用トイレによれば、かご体の底壁は、内側の網状底壁部と外側のプレート状底壁部とを有するので、プレート状底壁部を開状態にすると、かご本体部内の猫砂がかご本体部の底面開口及び網状底壁部を通して落下し、次いで網状底壁部を開状態にすると、かご本体部内の排泄物がかご本体部の底面開口を通して落下する。従って、トイレ容器本体内の猫砂と排泄物を分けて排出することができ、このようにしても排泄物を容易に取り除くことができる。
【図面の簡単な説明】
【００４６】
【図１】本発明に従う動物用トイレの第１の実施形態を示す斜視図。
【図２】図１の動物用トイレのかご体を示す斜視図。
【図３】図１の動物用トイレを簡略的に示す断面図。
【図４】図１の動物用トイレにおいてかご体を取り出す状態を示す簡略断面図。
【図５】図１の動物用トイレにおいて新しい猫砂を入れる状態を示す簡略断面図。
【図６】かご体の第１の変形形態を示す簡略正面図。
【図７】かご体の第２の変形形態を示す斜視図。
【図８】図７のかご体において底板を開放した状態を示す簡略断面図。
【図９】かご体の第３の変形形態を示す簡略断面図。
【図１０】かご体の第４の変形形態を開放した状態出示す簡略斜視図。
【図１１】かご体の第５の変形形態を示す簡略正面図。
【図１２】かご体の第６の変形形態を示す簡略略斜視図。
【図１３】図１２のかご体を示す簡略断面図。
【図１４】かご体の第７の変形形態を示す簡略正面図。
【図１５】本発明に従う動物用トイレの第２の実施形態を示す簡略断面図。
【図１６】本発明に従う動物用トイレの第３の実施形態を示す簡略断面図。
【図１７】本発明に従う動物用トイレの第４の実施形態を示す簡略断面図。
【図１８】図１７の動物用トイレの使用例を説明するための平面図。
【図１９】本発明に従う動物用トイレの第５の実施形態を示す簡略断面図。
【図２０】本発明に従う動物用トイレの第６の実施形態を示す簡略断面図。
【図２１】図２０に示す動物用トイレの使用例を説明するための簡略図。
【図２２】本発明に従う動物用トイレの第７の実施形態を示す簡略断面図。
【図２３】図２２に示す動物用トイレの使用例を説明するための簡略図。
【図２４】本発明に従う動物用トイレの第８の実施形態を示す簡略断面図。
【図２５】図２４に示す動物用トイレの使用例を説明するための簡略図。
【図２６】本発明に従う動物用トイレの第９の実施形態を示す簡略断面図。
【図２７】本発明に従う動物用トイレの第１０の実施形態を示す簡略断面図。
【図２８】本発明に従う動物用トイレの第１１の実施形態を示す簡略断面図。
【図２９】本発明に従う動物用トイレの第１２の実施形態を分解して示す簡略斜視図。
【図３０】図３０（ａ）〜（ｄ）は、図２９の動物用トイレの使用方法を説明するための簡略断面図。
【図３１】本発明に従う動物用トイレの第１３の実施形態を分解して示す簡略斜視図。
【図３２】図３２（ａ）〜（ｅ）は、図３１の動物用トイレの使用方法を説明するための簡略断面図。
【発明を実施するための形態】
【００４７】
以下、添付図面を参照して、本発明に従う動物用トイレの実施形態について説明する。
【００４８】
〔動物用トイレの第１の実施形態〕
図１〜図５を参照して、動物用トイレの第１の実施形態について説明する。図１〜図３において、図示の動物用トイレ２は、上面が開放されたトイレ容器本体４と、このトイレ容器本体４の上面開口を覆う蓋体６とを備えている。トイレ容器本体４は、横断面形状が円形状に形成され、その直径が小さくても３０〜４０ｃｍ程度に形成される。このトイレ容器本体４内には、猫砂８、例えばゼオライト系の砂が収容される。尚、このトイレ容器本体４は、適宜の形状でよく、例えば横断面形状が矩形状などの適宜の形状でよい。このような動物用トイレ２は、猫用トイレとして好都合に用いることができる。
【００４９】
また、蓋体６は、トイレ容器本体４の上面開口に対応した円形状であり、その外周部には、例えば下方に延びる環状フランジ部７が設けられ、またその中央部には、円形状の開口１０が設けられている。この開口１０についても、楕円形状、矩形状などの適宜の形状でよい。
【００５０】
このトイレ容器本体４内には、図２に示すような網状のかご体１２が収容される。かご体１２は、全体として略立方体状のかご本体部１４と、このかご本体部１４に取り付けられた取っ手部１６とを備えている。図示の形態では、かご本体部１４は、底壁１８及びこの底壁の側縁から上方に延びる４側壁２０，２２，２４，２６を有し、その上面が開放されている。底壁１８はプレート状の底板から構成されているが、４側壁２０，２２，２４，２６は、網状の部材（即ち、網状部）から構成され、この網状部材（網状部）の網目を通して猫砂８が通過し得るように構成されている。このように構成することによって、かご本体部１４内の猫砂８は、側壁２０，２２，２４，２６（網状部材）を通して排出することができ、このように猫砂８を排出した後は、排泄物２７は、底壁１８（底板）上に残るようになり、従って、かご本体部１４内の排泄物２７を後述するようにして容易に排出することができる。
【００５１】
このかご体１２についても適宜の形態のものでよく、全体として直方体状、円筒状、楕円状などの適宜の形状でよい。また、かご本体部１４の底壁１８を底板から構成しているが、側壁２０，２２，２４，２６と同様に、網状部材から構成するようにしてもよい。
【００５２】
かご本体部１４の底壁１８を底板から構成した場合、次のように構成するのが望ましい。即ち、底壁１８の実質上全体をテフロン（登録商標）などの撥水性シート（図示せず）で覆うのが好ましく、このように構成することによって、猫砂８及び／又は排泄物が底壁１８表面で固まって付着したとしても、棒、ヘラなどで容易に取り除くことができる。尚、撥水性のシートで覆うことに代えて、底板自体を撥水性の材料から形成するようにしてもよい。
【００５３】
取っ手部１６は、略Ｕ字状の取っ手本体２８と、この取っ手本体２８の中央部に設けられた把持部３０とを有し、取っ手本体２８の一端部がかご本体部１４の側壁２０の上端部に設けられた取付ブラケット３２の孔に回動自在に挿入され、その他端部が側壁２４の上端部に設けられた取付ブラケット３４の孔に回動自在に挿入されている。
【００５４】
この動物用トイレ２は、例えば、次のようにして使用される。主として図３〜図５を参照して、使用に際して、蓋体６を取り外した状態にて、トイレ容器本体４内に猫砂８を入れ、入れた状態の猫砂８の上にかご体１２を載置する。そして、このかご体１２内に猫砂８を流し込み、図３に示すように、入れた猫砂８がトイレ容器本体４内の全域に行き渡るようにし、このような状態では、かご体１２（かご本体部１４）の底部が猫砂８内に埋まるようになる。尚、このように猫砂８を入れるのではなく、トイレ容器本体４内に所定量の猫砂８を入れ、その後かご本体部１４の底部が入れた猫砂８に埋まるように、かご体１２を猫砂８内に押し込むようにしてもよい。
【００５５】
このように猫砂８及びかご体１２を入れた後、トイレ容器本体４の上面開口を覆うように蓋体６を装着し、このように装着すると、図３に示す状態となり、蓋体６の開口１０の下方にかご体１２が位置し、このような状態で使用することになる。
【００５６】
動物（例えば、猫）が排泄するときには、動物用トイレ２の蓋体６の上に載り、蓋体６の開口１０を通して、或いはこの開口１０から猫砂８の上におりてトイレ容器本体４内に排泄物２７を排泄する。このように排泄すると、図３に示すように、排泄物２７はかご体１２内の猫砂８に排泄される。例えば、動物（例えば、猫）のふんは、かご体１２内の猫砂８に載った状態となり、その尿は、猫砂８に吸収されて大きな固まりをつくるようになる。
【００５７】
排泄された排泄物２７を取り出すには、図４に示すように、蓋体６をトイレ容器本体４から取り外し、取っ手部１６を掴んでかご体１２を上方に持ち上げればよい。このように持ち上げると、かご体１２内の猫砂８は、網状の側壁２０，２２，２４，２６から外側に流れ落ち、かご体１２内に猫砂８が多く残っているときには、かご体１２を横にすればよく、このようにしてかご体１２内の猫砂８を取り除くことができ、かご体１２内には排泄物２７が残るようになる。かご体１２内に残る排泄物２７を排出するには、かご体１２を返して上面開口を下側にすればよく、このようにすることによって、かご本体部１４内の排泄物２７を排出することができる。このように、トイレ容器本体４内のかご体１２内に排泄された排泄物２７を容易に取り出して排出することができる。尚、このとき、トイレ容器本体４内の猫砂８は、入れ替えするために、トイレ容器本体４から排出される。
【００５８】
使用状態に戻すには、上述したと同様に、容器３２からトイレ容器本体４内に猫砂８を入れ、入れた状態の猫砂８の上にかご体１２を載置し、このかご体１２内に猫砂８を流し込み（図５参照）、そして、猫砂８がトイレ容器本体４内の全域に行き渡るようにてかご体１２の底部を猫砂８内に埋まるようにし、その後、蓋体６をトイレ容器本体４に装着すればよい。
【００５９】
この第１の実施形態においては、トイレ容器本体４の上面開口を覆うように蓋体を着脱自在に装着しているが、蓋体を省略することもでき、この場合、動物としての猫は、トイレ容器本体の上面開口から猫砂８の上におりてトイレ容器本体４内のかご体１２
内に排泄物２７を排泄するようになる。
【００６０】
〔かご体の第１の変形形態〕
次に、図６を参照して、かご体の第１の変形形態について説明する。尚、以下の各種形態において、上述した実施形態と実質上同一の部材には同一の参照番号を付し、その説明を省略する。
【００６１】
図６において、このかご体１２Ａにおいては、底壁１８Ａ（底板）が、取っ手部１６の一端部が取り付けられている側壁２０側に下方に傾斜して設けられ、側壁２０と対向する側壁２４の下端部には、支持壁４２が設けられている。この支持壁４２の下端は、側壁２０の下端と同一面を規定するように構成され、このように構成することによって、かご体１２Ａを床面などに倒れることなく置くことができる。この第１の変形形態のその他の構成については、上述した第１の実施形態におけるかご体１２と実質上同一である。
【００６２】
この場合、排泄物を取り出すためにかご体１２を持ち上げると、かご本体部１４Ａ内の猫砂は底壁１８Ａの傾斜面に沿って下方に流れ、主として側壁２０の網目を通してかご体１２Ａ外に落下するようになる。従って、かご体１２Ａを単に持ち上げるだけで猫砂を除去し、排泄物がかご本体部１４Ａ内に残るようになる。
【００６３】
〔かご体の第２の変形形態〕
次に、図７及び図８を参照して、かご体の第２の変形形態について説明する。この第２の変形形態においては、かご体の底壁が開放されるように構成されている。
【００６４】
図７及び図８において、このかご体１２Ｂにおいては、底壁１８Ｂ（底板）の一側部がかご本体部１４Ｂの下端部（この形態では、側壁２４の下端部）に蝶番５２を介して回動自在に装着され、その先端部は対向する側壁２０を越えて幾分突出するように構成されている。従って、この底壁１８Ｂは、図７に示す閉状態と図８に開状態との間を開閉自在であり、閉状態においては、底壁１８Ｂの先端部が側壁２０の下端に当接してかご本体部１４Ｂの下面開口が閉塞され、また開状態においては、自重によって蝶番５２を中心として矢印５４（図８）で示す方向に旋回して垂れ下がる状態となってかご本体部１４Ｂの下面開口が開放される。
【００６５】
この第２の変形形態では、更に、底壁１８Ｂを上記閉状態に保持するためのロック手段５６が設けられる。ロック手段５６は、かご本体部１４Ｂの側壁２０に取り付けられた取付支持部５８と、この取付支持部５８にピン６０を介して回動自在に支持されたロック保持部材６２とを備え、このロック保持部材６２の一端部には、かご本体部１４Ｂの底壁１８Ｂの底外面に作用して上記閉状態に保持するためのロック保持部６４が設けられ、その他端部には、ロック解除操作するための操作部６６が設けられている。尚、このロック保持部材６２には、ロック保持部６４を底壁１８Ｂの底外面に弾性的に押圧保持するためのばね手段（図示せず）が設けられる。この第２の変形形態のその他の構成は、上述した第１の実施形態におけるかご体１２と実質上同一である。
【００６６】
この第２の変形形態のかご体１２Ｂを用いた場合、排泄物２７を取り出すには、図８に示すように、かご体１２Ｂを上方に持ち上げた後に、排泄物用容器６８の上方にてロック手段５６によるロック状態を解除すればよい。
【００６７】
かご体１２Ｂを持ち上げると、かご体１２Ｂ内の猫砂は、網状の側壁２０，２２，２４，２６から外側に流れ落ち、このようにしてかご体１２内の猫砂を取り除くことができる。その後、ロック保持部材６２の操作部６６を操作して（即ち、側壁２０側に押圧する）ロック手段５６によるロック状態を解除すると、かご本体部１４Ｂの底壁１８Ｂが蝶番５２を中心として矢印５４で示す方向に回動して開状態となり、かご本体部１４Ｂ内の排泄物２７は、その下面開口をとして排泄物容器６８内に排出され、このようにしてかご体１２Ｂ内の排泄物２７を容易に取り除くことができる。
【００６８】
〔かご体の第３の変形形態〕
次に、図９を参照して、かご体の第３の変形形態について説明する。この第３の変形形態においては、かご体の底壁が内側底壁部と外側底壁部とから構成される二重構造に構成され、内側底壁部（プレート状底壁部）及び外側底壁部（網状底壁部）が開閉自在に構成されている。
【００６９】
図９において、この変形形態のかご体１２Ｃにおいては、底壁１８Ｃは、内側に配設された内側底壁部７９とこの内側底壁部７９の外側に配設された外側底壁部８０とから構成されている。かご本体部１４Ｃの側壁２４の上端部に支持部材７２が取り付けられ、この支持部材７２にピン７３を介して操作レバー７４が回動自在に装着されている。また、かご本体部１４Ｃの側壁２４の下端部にはスリット開口が設けられ、このスリット開口を通して両矢印７６で示す方向にスライド自在に内側底壁部７９が配設されている。そして、この内側底壁部７９の端部と操作レバー７４とが連結ロッド７８を介して連結されている。従って、操作レバー７４を下方に旋回操作すると、連結ロッド７８を介して内側底壁部７９（内側底板）が側壁２４のスリット開口を通してかご本体部１４Ｃ内に挿入されて閉状態となり、かご本体部１４Ｃの下面開口を閉塞する。また、操作レバー７４を上方に旋回操作すると、図９に示すように、連結ロッド７８を介して内側底壁部７９が側壁２４のスリット開口を通して外方に移動されて開状態となり、かご本体部１４Ｃの下面開口を開放する。この内側底壁部７９は、プレート状部材から構成され、本明細書では「プレート状底壁部」とも表現する。
【００７０】
この内側底壁部７９の外側には、外側底壁部８０が配設されている。外側底壁部８０は側壁２４の下端部（スリット開口の下側）に取り付けられた蝶番８３を介して開閉自在に装着され、その先端部は、側壁２０を越えて幾分突出している。外側底壁部８０が開状態にあるときには、図９に示すように、外側底壁部８０が垂れ下がるようになってかご本体部１４Ｃの下面開口が開放され、また閉状態にあるときには、外側底壁部８０の先端部が側壁２０の下端に当接してかご本体部１４Ｃの下面開口を閉塞する。この外側底壁部８０は、網状部材から構成され、本明細書では「網状底壁部」とも表現する。
【００７１】
この外側底壁部８０に関連して、外側底壁部８０を閉状態に保持するためのロック手段８２が設けられている。このロック手段８２は、図７及び図８に示す変形形態におけるロック手段６２と実質上同一の構成でよく、かご本体部１４Ｃの側壁２０に取り付けられた取付支持部８４と、この取付支持部８４に回動自在に支持されたロック保持部材８６とを備え、このロック保持部材６２の一端部には、外側底壁部８０を閉状態に保持するためのロック保持部８８が設けられ、その他端部には、ロック解除操作するための操作部９０が設けられている。この第３の変形形態のその他の構成は、上述した第１の実施形態におけるかご体１２と実質上同一である。
【００７２】
この第３の変形形態のかご体１２Ｃを用いた場合、排泄物２７の取り出しは、次のように行われる。まず、かご体１２Ｃを上方に持ち上げ、次いで操作レバー７４を開操作して内側底壁部７９を開状態にし、その後ロック手段８２のロック保持部材８６の操作部９０を操作してロック状態を解除すればよい。
【００７３】
かご体１２Ｃを持ち上げると、かご体１２Ｃ内の猫砂は、網状の側壁２０，２２，２４，２６から外側に流れ落ち、このようにしてかご体１２内の大部分の猫砂を取り除くことができる。次いで、操作レバー７４を操作してかご本体部１４Ｃの内側底壁部７９を開状態にすると、かご本体部１４Ｃの下面開口は網状の外側底壁部８０のみとなり、これによって、かご本体部１４Ｃ内に残っていた猫砂のほぼ全部を取り除くことができる。その後、ロック保持部材８６の操作部９０を操作してロック手段８２によるロック状態を解除すると、かご本体部１４Ｃの外側底壁部８０が蝶番８３を中心として矢印で示す方向に回動して開状態となり、かご本体部１４Ｃの下面開口が完全に開放され、これによって、かご本体部１４Ｃ内の排泄物２７は、その下面開口をとして排泄物容器６８内に排出され、このようにしてかご体１２Ｃ内の排泄物２７を容易に取り除くことができる。
【００７４】
上述した変形形態では、二重構造の底壁１８Ｃの内側底壁部７９をプレート状部材から構成し、外側底壁部８０を網状部材から構成しているが、これとは反対に、内側底壁部７９を網状部材から構成し、外側底壁部８０をプレート状部材から構成するようにしてもよい。この場合、まず外側底壁部８０を開状態にしてかご本体部１４Ｃ内の猫砂を取り除き、次いで内側底壁部７９を開状態にしてかご本体部１４Ｃ内に残る排泄物を排出するようになる。
【００７５】
〔かご体の第４の変形形態〕
次に、図１０を参照して、かご体の第４の変形形態について説明する。この第４の変形形態においては、かご体の底壁及び側壁（一つの側壁）が開閉自在に配設されている。
【００７６】
図１０において、このかご体１２Ｄにおいては、かご本体部１４Ｄの底壁１８Ｄ（底板）が蝶番９２を介して開閉自在にその側壁２６の下端部に装着され、側壁１８Ｄが開状態のときには、図１０に示すように、かご本体部１４Ｄの下面開口が開放され、また閉状態のときには、かご本体部１４Ｄの下面開口が閉塞される。
【００７７】
また、かご本体部１４Ｄにおける、底壁１８Ｄの開放側と接する側壁２２が軸部材９４を介して一対の側壁２０，２４の上端部間に旋回自在に装着されている。この側壁２２の上端部には、開閉操作するための操作部９６が設けられているとともに、その下端部には、内側に延びるロック保持部９８が設けられ、ロック保持部９８は幾分弾性変形可能に構成されている。側壁２２が閉状態にあるときには、かご本体部１４Ｄの側面開口（側壁２２に対応する側面開口）が閉塞され、この閉状態においては、ロック保持部９８は内側に対向する側壁２０に向かって延び、このロック保持部９８の内側に底壁１８Ｄを位置付けることによって、この底壁１８Ｄを上記閉状態に保持することができる。具体的には、側壁２２を閉状態に向けて回動させる際に、この底壁１８Ｄの先端部をロック保持部９８の内側に位置付け、この状態を保ちながら側壁２２を閉状態にすることによって、底壁１８Ｄを閉状態に保持することができる。この第４の変形形態のその他の構成は、上述した第１の実施形態におけるかご体１２と実質上同一である。
【００７８】
この第４の変形形態のかご体１２Ｄを用いた場合、排泄物２７を取り出すには、かご体１２Ｄを上方に持ち上げた後、側壁２２に設けられた操作部９６を押圧してこの側壁２２を軸部材９４を中心として矢印１００で示す方向に回動させればよい。
【００７９】
かご体１２Ｄを持ち上げると、かご体１２Ｄ内の猫砂は、網状の側壁２０，２２，２４，２６から外側に流れ落ち、このようにしてかご体１２内の大部分の猫砂を取り除くことができ、この際にかご体１２Ｄを横に傾けることによって、ほぼ全ての猫砂を取り除くことができる。そして、操作部９６を押圧して側壁２２を開放すると、図１０に示すように、かご本体部１４Ｄの一側面開口が開放されるとともに、側壁２２のロック保持部９８が底壁１８Ｄから外れてこの底壁１８Ｄが下方に垂れ下がるようになってかご本体部１４Ｄの下面開口が開放され、かご本体部８１４Ｄ内の排泄物２７は、これら開放された側面開口及び下面開口を通して排泄物容器６８内に排出され、このようにしてかご体１２Ｃ内の排泄物２７を開放された大きな開口を通して容易に排出することができる。
【００８０】
〔かご体の第５の変形形態〕
次に、図１１を参照して、かご体の第５の変形形態について説明する。この第５の変形形態においては、かご体の底壁の一部が開閉自在に構成されている。
【００８１】
図１１において、このかご体１２Ｆは、図１１において左右方向に細長く、このかご本体部１４Ｆの底壁１８Ｆ（底板）の一端側（図１１において左部）がかご本体部１４Ｆに取り付けられて固定底壁部１１２として機能し、その他端側（図１１において右部）が開閉自在に構成されて開閉底壁部１１０として機能し、底壁１８Ｆの開閉底壁部１１０が例えば蝶番１１４を介して回動自在に固定底壁部１１２に取り付けられている。この開閉底壁部１１０が閉状態のときには、かご本体部１４Ｆの下面開口（図１１においてかご本体部１４Ｆの右部に存在する）が閉塞され、また開状態のときには、図１１に示すように、かご本体部１４Ｆの下面開口が開放される。
【００８２】
この底壁１８Ｆの開閉底壁部１１０に関連して、開閉底壁部１１０を上記閉状態に保持するためのロック手段１１６が設けられる。このロック手段１１６は、上述した第２の変形形態におけるロック手段５６と実質上同一の構成であり、かかるロック手段１１６がかご本体部１４Ｆの側壁２２の外面に取り付けられる。
【００８３】
この変形形態においても、ロック手段１１６のロック状態を解除すると、かご本体部１４Ｆの底壁１８Ｆの開閉底壁部１１０が蝶番１１４を中心として矢印で示す方向に回動して開状態となり、かご本体部１４Ｆの開放された下面開口を通して排泄物を取り除くことができる。上述した形態では、かご本体部の底壁全体が開閉底壁部として機能してかご本体部の下面全体が開放されるようになるが、この第５の変形形態では、かご本体部１４Ｆの底壁１８Ｆの一部（図１１において右部）、即ち開閉底壁部１１０が開状態となり、かご本体部１４Ｆの下面の一部（開閉底壁部１１０に対応する領域）が開放される。
【００８４】
〔かご体の第６の変形形態〕
次に、図１２及び図１３を参照して、かご体の第６の変形形態について説明する。この第６の変形形態においては、かご体の一側壁が開閉自在に構成されている。
【００８５】
図１２及び図１３において、このかご体１２Ｇは、図１２及び図１３において左右方向に細長く、このかご本体部１４Ｇの一側壁２２（図１２及び図１３において右側壁）が開閉自在に構成されている。更に説明すると、この形態では、かご体１２Ｇの底壁１８Ｇに加えて、対向する一対の側壁２０，２４がプレート状部材から構成され、かかる側壁２０，２４間に側壁２２が開閉自在に装着されている。一つの側壁２０，２４の上端部には上下方向に細長い案内孔１２０が設けられ、また側壁２０の上端部には軸部材１２２が取り付けられ、軸部材１２２の両端部が側壁２０，２４の案内孔１２０に上下方向に移動自在に且つ回動自在に受け入れられている。
【００８６】
また、開閉自在な側壁２２の下端部には係合突部１２６が設けられ、この係合突部１２６に対応して、底壁１８の端部にスリット孔１２８が設けられ、係合突部１２６をスリット孔１２８に挿入することによって、側壁２２を閉状態にロック保持し、かご本体部１４Ｇの側面開口を閉塞することができる。また、側壁２２の上端部には操作突部１３０が設けられ、この操作突部１３０を挟持して上方に移動させることによって、係合突部１２６とスリット孔１２８との係合ロック状態を解除することができる。更に、側壁２２と対向する側壁２６の上端部には把持部１３２が設けられ、この把持部１３２を把持することによって、操作突部１３０によるロック解除の操作が容易となる。
【００８７】
この第６の変形形態においても、操作突部１３０を上方に移動させて係合突部１２６と底壁１８Ｇのスリット孔１２８との係合ロック状態を解除し、この係合ロック解除状態から操作突部１３０を内側に移動させることにより、側壁２２が軸部材１２２を中心として外側に回動してかご本体部１４Ｇの側面開口が開放され、この開放された側面開口を通して排泄物を取り除くことができる。
【００８８】
この変形形態では、かご本体部１４Ｇの一側壁全体（側壁２２）が開閉側壁部として機能してかご本体部１４Ｇの側面全体が開放されるが、このような構成に限定されず、上述の第５の変形形態の底壁と略同様に、かご本体部１４Ｇの一側壁（側壁２２）の一部を開閉自在な開閉側壁部として構成し、この開閉側壁部を開状態にして一側面の一部を側面開口として開放するようにしてもよい。また、このようなかご本体部１４Ｇにおいては、側壁２０，２２，２４，２６の全部を網状にしてもよいが、これら側壁２０，２２，２４，２６の任意の一つ、又は任意の二つ以上を網状にしてもよく、或いは側壁２０，２２，２４，２６の任意の一つの一部、また任意の二つ以上の一部を網状にしてもよく、網状とする形態については適宜に構成することができる。
【００８９】
〔かご体の第７の変形形態〕
次に、図１４を参照して、かご体の第７の変形形態について説明する。この第７の変形形態においては、かご体の底壁が開閉自在な二重構造に構成されている。
【００９０】
図１４において、このかご体１２Ｈは、底壁１８Ｈ（底板）が二重構造であり、内側に網状に形成された網状底壁部１４２が配設され、外側にプレート状に構成されたプレート状底壁部１４４が配設されている。プレート状底壁部１４４及び網状底壁部１４２は、かご本体部１４Ｈの底部に装着された支持軸１４６に回動自在に装着され、網状底壁部１４２は、かご本体部１４Ｈの底面開口を閉塞する閉状態（図１４に破線で示す状態）とこの底面開口を開放する開状態（図１４に一点鎖線で示す状態）との間を回動自在に構成され、またプレート状底壁部１４４は、網状底壁部１４２の外側にて、かご本体部１４Ｈの底面開口を閉塞する閉状態とこの底面開口を開放する開状態（図１４に示す状態）との間を回動自在に構成されている。
【００９１】
この第７の変形形態では、更に、プレート状底壁部１４４を上記閉状態に保持するための第１ロック手段１４８が設けられているとともに、網状底壁部１４２を上記閉状態に保持するための第２ロック手段１５０が設けられている。第１ロック手段１４８は、第２の変形体におけるロック手段６２と同様の構成のものでよく、かご本体部１４Ｈの側壁２０に設けられた取付支持部１５２にピン１５４を介して回動自在に支持されたロック保持部材１５６を備え、このロック保持部材１５６の一端部にロック保持部１５８が設けられ、その他端部に操作部１６０が設けられている。
【００９２】
また、第２ロック手段１５０は、かご本体部１４Ｈの側壁２０に設けられた本体支持部１６０と、この本体支持部１６０に挿入自在に支持される保持ピン１６２とを備え、保持ピン１６２を本体支持部１６０を通して側壁２０内に突出させることによって、第２ロック手段１５０がロック状態に保たれ、このロック状態においては、網状底壁部１４２は、側壁２０から内側に突出する保持ピン１６２の上側に位置して上記閉状態にロック保持され、また保持ピン１６２を引っ張って側壁２０の外側に移動させることによって、第２ロック手段１５０がロック解除状態となり、網状底壁部１４２は矢印１６６で示す方向に回動して上記開状態となる。
【００９３】
この第７の変形形態のかご体１２Ｈを用いた場合、排泄物２７を取り出すには、図１４から理解されるように、かご体１２Ｈを上方に持ち上げた後に、第１ロック手段１４８のロックを解除し、その後第２ロック手段１５０のロックを解除すればよい。第１ロック手段１４８のロック状態を解除すると、プレート状底壁部１４４が自重により支持軸１４６を中心として矢印１６６で示す方向に回動して開状態となり、かご体１２Ｈ内の猫砂が網状底壁部１４２を通ってかご本体部１４Ｈの底面開口から排出され、このようにしてかご本体部１４Ｈ内の猫砂を取り除くことができる。その後、第２ロック手段１５０によるロック状態を解除すると、網状底壁部１４２が自重により支持軸１４６を中心として矢印１６６で示す方向に回動して開状態となり、かご本体部１４Ｈ内に残る排泄物がかご本体部１４Ｈの底面開口から排出され、このようにして排泄物を容易に取り除くことができる。
【００９４】
〔動物用トイレの第２の実施形態〕
次に、図１５を参照して、動物用トイレの第２の実施形態について説明する。この第２の実施形態においては、トイレ容器本体内に複数のかご体が収容可能に構成されている。
【００９５】
図１５において、この動物用トイレ２Ｉにおいては、トイレ容器本体４Ｉ及び蓋体６Ｉは、上述した第１の実施形態のものよりも大きく形成されている。そして、蓋体６Ｉには、その中央部よりもずれた部位（中心よりも偏心した部位）に開口１０が設けられている。また、このトイレ容器本体４Ｉ内には、周方向に間隔をおいて複数（例えば、９０度間隔に４個）のかご体１２が収容可能に構成され（図１５においては、２個のみ示す）、これらかご体１２は、図１５から理解されるように、トイレ容器本体４Ｉに対して蓋体６Ｉを相対的に回動させたときに開口１０が移動する移動経路の下方に配設され、このように配設することによって、トイレ容器本体４Ｉ内に配設されたかご体１２は、トイレ容器本体４Ｉに対して蓋体６Ｉを所定の位置関係に位置付けたときに、蓋体６Ｉの開口１０の下方に位置し、猫の排泄物は、蓋体６Ｉの開口１０の下方に位置するかご体１２内の猫砂８に排泄される。
【００９６】
この第２の実施形態におけるかご体１２は、上述した第１の実施形態と同様の構成のものを用いているが、このような構成のかご体１２に限定されず、第１〜第７の変形形態のかご体１２Ａ〜１２Ｈを用いるようにしてもよい。この第２の実施形態の動物用トイレ２Ｉのその他の構成は、上述した第１の実施形態と実質上同一である。
【００９７】
この動物用トイレ２Ｉにおいては、かご体１２内に排泄された排泄物の量がある程度増えると、トイレ容器本体４Ｉに対して蓋体６Ｉを相対的に回動させて、蓋体６Ｉの開口１０の下方に新しいかご体１２が位置するようにし、このように使用することによって、排泄物の取出し頻度を少なくすることができる。
【００９８】
〔動物用トイレの第３の実施形態〕
次に、図１６を参照して、動物用トイレの第３の実施形態について説明する。この第２の実施形態においては、トイレ容器本体内に複数のかご体が収容可能に構成されているとともに、蓋体がトイレ容器本体内に配設されている。
【００９９】
図１６において、この動物用トイレ２Ｊにおいては、トイレ容器本体４Ｊは、図１５の第２の実施形態と略同様の構成であり、その周側壁２０２は、上記第２の実施形態のものより上方に延び、トイレ容器本体４Ｊの深さが深くなっている。このトイレ容器本体１４Ｊの周側壁２０２の内周面には、環状の支持壁部２０４が設けられている。
【０１００】
また、蓋体６Ｊはプレート状部材から構成され、トイレ容器本体４Ｊの内周面形状に対応して円形状に形成され、この蓋体６Ｊは、トイレ容器本体４Ｊの支持壁部２０４に収容載置される。この蓋体６Ｊには、第２の実施形態における蓋体６Ｉと同様に、中央部よりもずれた部位（中心よりも偏心した部位）に開口１０が設けられている。
【０１０１】
この第２の実施形態においても、上述した第２の実施形態と同様に、かご体１２は、トイレ容器本体４Ｊ内に周方向に間隔をおいて複数（例えば、９０度間隔に４個）収容可能に構成され（図１６においては、個のみ示す）、これらかご体１２は、トイレ容器本体１４Ｊに対して蓋体６Ｊを相対的に回動させたときに開口１０が移動する移動経路の下方に配設される。
【０１０２】
このような動物用トイレ２Ｊにおいては、トイレ容器本体４Ｊの深さが深く、その周側壁２０２の上部が蓋体６Ｊよりも上方に延び、蓋体６Ｊの上方空間が周側壁２０２により覆われているので、猫が排泄する際に、トイレ容器本体４Ｊ内の猫砂８を掘り返しても、掘り返した猫砂８は周側壁２０２に当たって周囲に飛散することが少なく、トイレ容器２Ｊの周囲をきれいに保つことができる。尚、トイレ容器本体４Ｊの周側壁２０２における蓋体６Ｊからの突出高さＨ１は、例えば、５〜２０ｃｍ程度に設定することができる。
【０１０３】
〔動物用トイレの第４の実施形態〕
次に、図１７及び図１８を参照して、動物用トイレの第４の実施形態について説明する。この第４の実施形態においては、トイレ容器本体内に２個かご体が収容可能に構成されているとともに、蓋体が移動自在に構成されている。
【０１０４】
図１７及び図１８において、この動物用トイレ２Ｋでは、トイレ容器本体４Ｋは、直方体状に横方向（図１７及び図１８において左右方向）に細長く、かご体１２は、トイレ容器本体４Ｋの片側（図１７及び図１８において右側）と、その他側（図１７及び図１８において右側）に配設可能に構成されている。
【０１０５】
このトイレ容器本体４Ｋは、上面が矩形状に開放されており、その開口部に開閉蓋構造２３２が配設されている。図示の開閉蓋構造２３２は、上面開口を塞ぐための蓋部材２３４と、例えば円形状の開口２３６が設けられた補助蓋体２３８とを備えている。トイレ容器本体４Ｋの対向する側壁２４０，２４２には第１及び第２案内レール２４４，２４６が設けられ（図１７に第１及び第２案内レール２４４，２４６を一つずつ示し、図１８に２つの第１案内レール２４４のみを示す）、蓋部材２３４が上側の第１案内レール２４４に移動自在に装着され、補助蓋体２３８が第２案内レール２４６に移動自在に装着されている。
【０１０６】
蓋部材２３４は、第１案内レール２４４に沿って第１の位置（図１７に示す位置）と第２の位置との間を移動自在であり、上記第１の位置にあるときには、トイレ容器本体２Ｋの上面開口の片側を閉塞し、上記第２の位置にあるときには、トイレ容器本体２Ｋの上面開口の他側を閉塞する。また補助蓋体２３８は、第２案内レール２４６に沿って第１の位置（図１８に一点鎖線で示す位置）と第２の位置（図１７に示す位置であって、図１８に実線で示す位置）との間を移動自在であり、上記第１の位置にあるときには、トイレ容器本体２Ｋの片側に位置し、また上記第２の位置にあるときには、トイレ容器本体２Ｋの他側に位置する。
【０１０７】
この第４の実施形態の動物用トイレ２Ｋにおいては、トイレ容器本体２Ｋの他側に配設されたかご体１２を利用するときには、蓋部材２３４を第１案内レール２４４に沿って移動して上記第１の位置に位置付けるとともに、補助蓋体２３８を第２案内レール２４６に沿って移動して上記第２の位置に位置付ければよい。かくすると、図１７に示すように、トイレ容器本体２Ｋの片側が蓋部材２３４によって覆われ、また補助蓋体２３８の開口２３６が、トイレ容器本体４Ｋの他側に配設されたかご体１２の上方に位置し、猫は補助蓋体２３８の開口２３６を利用して排泄を行い、排泄物はこのかご体１２内に収容される。尚、このかご体１２を取り出すには、蓋部材２３４とともに補助蓋体２３８を上記第１の位置に位置付ければよく、かくすると、トイレ容器本体４Ｋの上面開口の他側半分が開放され、この開放された開口を通して容易に取り除くことができる。
【０１０８】
また、トイレ容器本体２Ｋの片側に配設されたかご体１２を利用するときには、蓋部材２３４を第１案内レール２４４に沿って移動して上記第２の位置に位置付けるとともに、補助蓋体２３８を第２案内レール２４６に沿って移動して上記第１の位置に位置付ければよい。かくすると、図１７から理解されるように、トイレ容器本体２Ｋの他側が蓋部材２３４によって覆われ、また補助蓋体２３８の開口２３６が、トイレ容器本体４Ｋの片側に配設されたかご体１２の上方に位置し、猫は他側の補助蓋体２３８の開口２３６を利用して排泄を行い、排泄物はこのかご体１２内に収容される。尚、このかご体１２を取り出すには、蓋部材２３４とともに補助蓋体２３８を上記第２の位置に位置付ければよく、かくすると、トイレ容器本体４Ｋの上面開口の片側半分が開放され、この開放された開口を通して容易に取り除くことができる。
【０１０９】
〔動物用トイレの第５の実施形態〕
次に、図１９を参照して、動物用トイレの第５の実施形態について説明する。この第５の実施形態においては、トイレ容器本体内にかご体が固定的に設けられているとともに、このかご体の底面に対応して開閉底壁部が設けられている。
【０１１０】
図１９において、この動物用トイレ２Ｌでは、トイレ容器本体４Ｌは、直方体状に横方向（図１９において左右方向）に細長く、かご体１２Ｌは、トイレ容器本体４Ｌの例えば片側（図１９において左側）に固定的に設けられる。かご体１２Ｌは、例えば円筒状に形成され、トイレ容器本体４Ｌの底壁２６２に固定的に取り付けられ、このかご体１２Ｌの底面に対応して底面開口が設けられる。
【０１１１】
また、トイレ容器本体４Ｌの底壁２６２には、例えば蝶番２６４を介して開閉底壁部２６６が開閉自在に装着され、それ自体周知のロック手段（図示せず）によって、閉状態に保持される。即ち、ロック手段がロック状態にあって開閉底壁部２６６が閉状態にあるときには、図１９に実線で示すように、トイレ容器本体４Ｌの底面開口が閉塞される。また、ロック手段によるロック状態を解除すると、開閉底壁部２６６は自重でもって矢印２６８で示す方向に回動して開状態となり、トイレ容器本体４Ｌの底面開口が開放される。また、トイレ容器本体４Ｌの開口部には蓋体６Ｊが配設され、蓋体６Ｊ及びこの第５の実施形態のその他の構成は、図１６に示す第３の実施形態と同様の構成である。
【０１１２】
この第５の実施形態の動物用トイレ２Ｌにおいて、かご体１２Ｌ内の排泄物を取り除くには、トイレ容器本体４Ｌを他側が下側になるように傾けた後に水平状態に戻し、その後、開閉底壁部２６６を開状態にすればよい。トイレ容器本体４Ｌを傾けると、図１９に示すように、トイレ容器本体４Ｌ内の猫砂８がトイレ容器本体４Ｌの他側（かご本体１２Ｌとは反対側）に流れて集まり、排泄物は他側に移動することなくかご体１２Ｌ内に残るようになる。
【０１１３】
その後、トイレ容器本体４Ｌを図１９に示すように水平状態に戻した（水平状態に戻しても、猫砂８はトイレ容器本体４Ｌの他側に集まった状態に保たれる）後に、ロック手段（図示せず）のロック状態を解除して開閉底壁部２６６を開状態にすると、トイレ容器本体４Ｌの底面開口が開放され、かご体１２内に残った排泄物がこの底面開口を通して排出され、このようにかご体１２Ｌをトイレ容器本体４Ｌに固定的に設けても、かご体１２Ｌ内の排泄物を容易に取り除くことができる。
【０１１４】
〔動物用トイレの第６の実施形態〕
次に、図２０及び図２１を参照して、動物用トイレの第６の実施形態について説明する。この第６の実施形態においては、トイレ容器本体内が二つの室に仕切られているとともに、蓋体が移動自在に構成されている。
【０１１５】
図２０及び図２１において、この動物用トイレ２Ｍでは、図１７及び図１８に示す第４の実施形態と同様に、トイレ容器本体４Ｍは、直方体状に横方向（図２０及び図２１において左右方向）に細長く、このトイレ容器本体４Ｍの長手方向略中央部に中間壁部２７２が設けられ、この中間壁部２７２を介して、片側（図２０及び図２１において右側）の第１室２７４と、他側（図２０及び図２１において右側）の第２室２７６とに仕切られている。中間壁部２７２は網状部材から構成され、この網状部材の網目の大きさは、猫砂８については通過を許容し、猫の排泄物については通過を阻止するように設定される。
【０１１６】
このトイレ容器本体４Ｌは、上面が矩形状に開放されており、その開口部に開閉蓋構造２７８が配設されている。この開閉蓋構造２７８は、上述した第４の実施形態における開閉蓋構造２３２と実質上同一の構成のものでよく、上面開口を塞ぐための蓋部材２８０と、開口２８２が設けられた補助蓋体２８４とを備え、蓋部材２８０及び補助蓋体２８４は、上述したと同様に、トイレ容器本体４Ｍの片側に位置する第１の位置とその他側に位置する第２の位置との間を移動自在に構成されている。
【０１１７】
この第６の実施形態の動物用トイレ２Ｍでは、かご体を設けることに代えて、第１室２７４に対応して第１開閉底壁部２８６が設けられているとともに、第２室２７６に対応して第２開閉底壁部２８８が設けられている。第１開閉底壁部２８６は、トイレ容器本体４Ｋの底壁２９０の片側（第１室２７４を規定する部位）に設けられ、蝶番２９２によって開閉自在に装着され、図２０に一点鎖線で示す開状態のときには第１室２７４の第１底面開口を開放し、図２０に実線で示す閉状態のときには第１室２７４の上記第１底面開口を閉塞する。また、第２開閉底壁部２８８は、トイレ容器本体４Ｋの底壁２９０の他側（第２室２７６を規定する部位）に設けられ、蝶番２９４によって開閉自在に装着され、図２０に一点鎖線で示す開状態のときには第２室２７６の第２底面開口を開放し、図２０に実線で示す閉状態のときには第２室２７６の上記第２底面開口を閉塞する。尚、図示していないが、第１及び第２開閉底壁部２８６，２８８には、図示していないが、閉状態にロック保持するためのロック手段が設けられる。
【０１１８】
この第６の実施形態の動物用トイレ２Ｍにおいては、トイレ容器本体２Ｍの第１及び第２室２７４，２７６に猫砂８が収容される。そして、このトイレ容器本体２Ｍの他側の第２室２７６（又は片側の第１室２７４）を利用するときには、図２１に示すように、蓋部材２８０を上記第１の位置（又は上記第２の位置）に位置付けるとともに、補助蓋体２８４を上記第２の位置（又は上記第１の位置）に位置付ければよい。かくすると、トイレ容器本体２Ｍの片側（又は他側）が蓋部材２８０によって覆われ、また補助蓋体２８４の開口２８２が、トイレ容器本体４Ｍの他側（又は片側）に位置し、猫は補助蓋体２３８の開口２３６を利用してトイレ容器本体２Ｍの第２室２７６（又は第１室２７４）で排泄を行うようになる。
【０１１９】
この第６の実施形態の動物用トイレ２Ｍにおいて、トイレ容器本体４Ｍの第２室２７６（又は第１室２７４）内の排泄物を取り除くには、トイレ容器本体４Ｍを片側（又は他側）が下になるように傾けた後に水平状態に戻し、その後、第２開閉底壁部２８８（又は第１開閉底壁部２８６）を開状態にすればよい。トイレ容器本体４Ｍを片側（又は他側）が下になるように傾けると、図２１に示すように、トイレ容器本体４Ｍ内の猫砂８がその片側（又は他側）に流れ、第２室２７６（又は第１室２７４）内の猫砂８は中間壁部２７２を通過して第１室２７４（又は第２室２７６）に流れて集まり、排泄物は第１室２７４（又は第２室２７６）に移動することなく第２室２７６（又は第１室２７４）に残るようになる。
【０１２０】
その後、トイレ容器本体４Ｍを図２１に示すように水平状態に戻した後に、ロック手段（図示せず）のロック状態を解除して第２開閉底壁部２８８（又は第１開閉底壁部２８６）を開状態にすると、トイレ容器本体４Ｍの第２底面開口（又は第１底面開口）が開放され、第２室２７６（又は第１室２７４）内の排泄物が第２底面開口（又は第１底面開口）を通して排出され、このようにかご体を用いなくても、猫砂８と排泄物とを所要の通りに分け、残った排泄物を容易に取り除くことができる。
【０１２１】
この第６の実施形態では、第１及び第２室２７４，２７６に対応して第１及び第２開閉底壁部２８６，２８８を設けているが、第１及び第２室２７４，２７６の少なくとも一方の室（第１室２７４又は第２室２７６）に対応して開閉底壁部（第１開閉底壁部２８６又は第２開閉底壁部２８８）を設けるようにしてもよい。
【０１２２】
例えば第１室２７４（又は第２室２７６）に第１開閉壁部２８６（又は第２開閉壁部２８８）を設けた場合、このトイレ容器本体２Ｍの片側（又は他側）の第１室２７４（又は第２室２７６）が利用され、蓋部材２８０は上記第２の位置（又は上記第１の位置）に位置付けられるとともに、補助蓋体２８４は上記第１の位置（又は上記第２の位置）に位置付けられ、猫は補助蓋体２３８の開口２３６を利用して第１室２７４内に排泄するようになる。
【０１２３】
〔動物用トイレの第７の実施形態〕
次に、図２２及び図２３を参照して、動物用トイレの第７の実施形態について説明する。この第７の実施形態においては、トイレ容器本体内を仕切る中間壁部が揺動自在に構成されているとともに、トイレ容器本体に共通の開閉底壁部が設けられている。
【０１２４】
図２２及び図２３において、この動物用トイレ２Ｎでは、上述した第４の実施形態と同様に、トイレ容器本体４Ｎは、直方体状に横方向（図２２及び図２３において左右方向）に細長く、このトイレ容器本体４Ｎの長手方向略中央部に中間壁部３０２が設けられ、この中間壁部３０２を介して、片側（図２２及び図２３において右側）の第１室２７４と、他側（図２０及び図２１において右側）の第２室２７６とに仕切られている。トイレ容器本体４Ｎの対向する側壁間には支持軸３０４が回転自在に支持され、この支持軸３０４に中間壁部３０２が取り付けられている。支持軸３０４は片方（図２２及び図２３において紙面に垂直な方向にて背面側）の側壁を貫通して後方に突出し、この突出端部に操作部３０６が取り付けられている。従って、操作部３０６を図２２において左側に回動操作すると、中間壁部３０２が第１角度状態（図２２に一点鎖線で示すとともに、図２３に示す角度状態）に位置付けられ、また操作部３０６を図２２において右側に回動操作すると、中間壁部３０２が第２角度状態（図２２に実線で示す角度状態）に位置付けられる。
【０１２５】
このトイレ容器本体４Ｎも、上面が矩形状に開放されており、その開口部に、上述した第６の実施形態と同様の構成の開閉蓋構造２７８が配設されている。この開閉蓋構造２７８は、蓋部材２８０及び補助蓋体２８４を備え、蓋部材２８０及び補助蓋体２８４が、上述したと同様に、トイレ容器本体４Ｎの片側に位置する第１の位置とその他側に位置する第２の位置との間を移動自在に構成されている。
【０１２６】
この第７の実施形態の動物用トイレ２Ｎでは、第１及び第２室２７４，２７６に共通の開閉底壁部３０８が設けられている。開閉底壁部３０８は、トイレ容器本体４Ｎの底壁３１０の長手方向（図２２及び図２３において左右方向）略中央部に設けられ、蝶番３１２によって開閉自在に装着され、図２２に一点鎖線で示す開状態（図２３に示す状態）のときにはトイレ容器本体４Ｋの底面開口を開放し、図２２に実線で示す閉状態のときにはトイレ容器本体４Ｎの上記底面開口を閉塞する。
【０１２７】
この開閉底壁部３０８と中間壁部３０２とは、次の関係となるように構成されている。即ち、上記第１角度状態にあるときには、中間壁部３０２は第１室２７４に向けて下方に延び、開閉底壁部３０８はトイレ容器本体４Ｎの第２室２７６に含まれるようになり、また上記第２角度状態にあるときには、中間壁部３０２は第２室２７６に向けて下方に延び、開閉底壁部３０８はトイレ容器本体４Ｎの第１室２７４に含まれるようになる。この第７の実施形態のその他の構成は、上述した第６の実施形態と実質上同一である。
【０１２８】
この第７の実施形態の動物用トイレ２Ｎにおいては、トイレ容器本体４Ｎの第１及び第２室２７４，２７６に猫砂８が収容される。そして、このトイレ容器本体４Ｎの第２室２７４（又は第１室２７２）を利用するときには、図２２及び図２３に示すように、蓋部材２８０を上記第１の位置（又は上記第２の位置）に位置付けるとともに、補助蓋体２８４を上記第２の位置（又は上記第１の位置）に位置付ければよい。
【０１２９】
また、第７の実施形態の動物用トイレ２Ｍにおいて、トイレ容器本体４Ｎの第２室２７６（又は第１室２７４）内の排泄物を取り除くには、中間壁部３０２を上記第１角度状態（又は第２角度状態）に位置付け、この状態にてトイレ容器本体４Ｎを片側（又は他側）が下になるように傾けた後に水平状態に戻し、その後、開閉底壁部３０８を開状態にすればよい。トイレ容器本体４Ｎを片側（又は他側）が下になるように傾けると、図２３に示すように、トイレ容器本体４Ｎ内の猫砂８がその片側（又は他側）に流れ、第２室２７６（又は第１室２７４）内の猫砂８は中間壁部３０２を通過して第１室２７４（又は第２室２７６）に流れて集まり、排泄物は第１室２７４（又は第２室２７６）に移動することなく第２室２７６（又は第１室２７４）に残るようになる。
【０１３０】
その後、トイレ容器本体４Ｎを図２３に示すように水平状態に戻した後に、ロック手段（図示せず）のロック状態を解除して開閉底壁部３０８を開状態にすると、トイレ容器本体４Ｎの底面開口が開放され、第２室２７６（又は第１室２７４）内の排泄物がこの底面開口を通して排出され、このように構成しても、猫砂８と排泄物とを所要の通りに分けて排泄物を容易に取り除くことができる。
【０１３１】
〔動物用トイレの第８の実施形態〕
次に、図２４及び図２５を参照して、動物用トイレの第８の実施形態について説明する。この第８の実施形態においては、図２０及び図２１に示す第６の実施形態と同様にトイレ容器本体内に中間壁部が設けられるが、排泄物を排出するための第１及び第２開閉底壁部が省略されている。
【０１３２】
図２４及び図２５において、この動物用トイレ２Ｐでは、上述した第６の実施形態と同様に、トイレ容器本体４Ｐは、直方体状に横方向（図２４及び図２５において左右方向）に細長く、このトイレ容器本体４Ｐの長手方向略中央部に中間壁部３２２が設けられ、この中間壁部３２２を介して、片側（図２４及び図２５において右側）の第１室２７４と、他側（図２４及び図２５において右側）の第２室２７６とに仕切られている。
【０１３３】
このトイレ容器本体４Ｐも、上面が矩形状に開放されており、その開口部に、上述した第６の実施形態と同様の構成の開閉蓋構造２７８が配設され、この開閉蓋構造２７８は、トイレ容器本体４Ｐの片側に位置する第１の位置とその他側に位置する第２の位置との間を移動自在である蓋部材２８０及び補助蓋体２８４を備えている。この第８の実施形態の動物用トイレ２Ｐのその他の構成は、第１及び第２開閉底壁部２８６，２８８が省略されている点を除き、上述の第６の実施形態と実質上同一である。
【０１３４】
この第８の実施形態の動物用トイレ２Ｐにおいては、トイレ容器本体２Ｐの第１及び第２室２７４，２７６に猫砂８が収容され、第６の実施形態と同様に使用される。そして、トイレ容器本体４Ｐの第２室２７６（又は第１室２７４）内の排泄物を取り除くには、蓋部材２８０及び補助蓋体２８４を第１の位置（又は第２の位置）に位置付け、トイレ容器本体２Ｐの他側（又は片側）、即ち第２室２７６（又は第１室２７４）の上方を大きく開放する。
【０１３５】
その後、図２５に示すように、第１室２７４（又は第２室２７６）が下となるようにトイレ容器本体４Ｐを傾けると、トイレ容器本体４Ｐ内の猫砂８がその片側（又は他側）に流れ、第２室２７６（又は第１室２７４）内の猫砂８は中間壁部３２２を通過して第１室２７４（又は第２室２７６）に流れて集まり、排泄物３２４は第１室２７４（又は第２室２７６）に移動することなく第２室２７６（又は第１室２７４）に残るようになる。
【０１３６】
そして、このトイレ容器本体４Ｐを更に傾けてトイレ容器本体４Ｐの上面開口が下側となるようにすると、第２室２７６（又は第１室２７４）内の排泄物３２４が、大きく開放された第２室２７６（又は第１室２７４）の上面開口を通して排出され、このように構成しても排泄物３２４を容易に排出することができる。尚、このとき、第１室２７４（又は第２室２７６）の上面開口が蓋部材２８０及び補助蓋体２８４によって塞がれているので、第１室２７４（又は第２室２７６）に集まった猫砂８は、外側に排出されることはない。
【０１３７】
〔動物用トイレの第９の実施形態〕
この第９の実施形態においては、図２４及び図２５に示す第８の実施形態と同様にトイレ容器本体内に中間壁部が設けられるが、この中間壁部が回動自在に装着されている。
【０１３８】
図２６において、この動物用トイレ２Ｓでは、上述した第８の実施形態と同様に、トイレ容器本体４Ｓは、直方体状に横方向（図２６において左右方向）に細長く、このトイレ容器本体４Ｓの長手方向略中央部に中間壁部３２２が設けられ、この中間壁部３２２を介して、片側（図２６において右側）の第１室２７４と、他側（図２６において右側）の第２室２７６とに仕切られている。また、中間壁部３２２は容器本体４Ｓに回動自在に装着され、実線矢印で示すように回動することによって、第２室２７６の上面開口を通して外側まで回動させることができ、また破線矢印で示すように回動することによって、第１室２７４の上面開口を通して外側まで回動させることができる。
【０１３９】
この中間壁部３２２は、その上端部を中心として例えば手動でもって回動可能に構成される。そして、トイレ容器本体４Ｓの第２室２７６（又は第１室２７４）内の排泄物を取り除くには、蓋部材２８０及び補助蓋体２８４を第１の位置（又は第２の位置）に位置付け、トイレ容器本体２Ｓの他側（又は片側）、即ち第２室２７６（又は第１室２７４）の上方を大きく開放する。
【０１４０】
その後、図２６に示すように、第１室２７４（又は第２室２７６）が下となるようにトイレ容器本体４Ｓを傾けると、トイレ容器本体４Ｓ内の猫砂８がその片側（又は他側）に流れ、第２室２７６（又は第１室２７４）内の猫砂８は中間壁部３２２を通過して第１室２７４（又は第２室２７６）に流れて集まり、排泄物３２４は第１室２７４（又は第２室２７６）に移動することなく第２室２７６（又は第１室２７４）に残るようになる。
【０１４１】
その後、手動でもって中間壁部３２２を実線矢印（又は破線矢印）で示す方向に第２室２７６（又は第１室２７４）の上面開口に向けて回動させ、この上面開口を通して外側に突出するまで回動させる。かくすると、中間壁部３２２の第２室２７６（又は第１室２７４）側に載っていた排泄物３２４は、中間壁部３２２の回動を利用して、第２室２７６（又は第１室２７４）の上面開口を通して外側に排出され、排泄物３２４を容易に取り除くことができる。
【０１４２】
〔動物用トイレの第１０の実施形態〕
次に、図２７を参照して、動物用トイレの第１０の実施形態について説明する。この第１０の実施形態においては、トイレ容器本体の底壁に開閉壁構造が設けられている。
【０１４３】
図２７において、第１０の実施形態においては、動物用トイレ２Ｑのトイレ容器本体４Ｑの底壁４０８の一部、この形態ではその中央部に開閉壁構造４０２が設けられている。この開閉壁構造４０２は、トイレ容器本体４Ｑの底壁４０８の大部分に設けるようにしてもよい。
この開閉壁構造４０２は、猫砂の通過を許容するように網状に形成された網状壁部４０４と、猫砂の通過を阻止するようにプレート状に形成されプレート状壁部４０６とを有し、網状壁部４０４及びプレート状壁部４０６がトイレ容器本体２Ｑの底壁４０８に取り付けられた支持軸４１０に回動自在に装着されている。
【０１４４】
網状壁部４０４は内側に配設され、図２７に実線で示す閉状態と図２７に一点鎖線で示す開状態との間を開閉自在であり、上記閉状態においては、トイレ容器本体４Ｑの底面開口に位置し、上記開状態においては、支持軸４１０から下方に垂れ下がってトイレ容器本体４Ｑの上記底面開口を開放する。また、プレート状壁部４０６は網状壁部４０４の外側に配設され、この網状壁部４０４の外側にて図２７に実線で示す閉状態と図２７に一点鎖線で示す開状態との間を開閉自在であり、上記閉状態においては、トイレ容器本体４Ｑの底面開口を閉塞し、上記開状態においては、支持軸４１０から下方に垂れ下がってトイレ容器本体４Ｑの上記底面開口を開放する。尚、網状壁部４０４及びプレート状壁部４０６には、図示していないが、閉状態にロック保持するためのロック手段が設けられる。
【０１４５】
この第１０の実施形態の動物用トイレ２Ｑにて排泄物を取り除くには、開閉壁構造４０２のプレート状壁部４０６を開状態にした後に網状壁部４０４を開状態にすればよい。プレート状壁部４０６を開状態にすると、トイレ容器本体４Ｑ内の猫砂がその底面開口及び網状壁部４０４を通して落下する。その後、プレート状壁部４０６を開状態にすると、トイレ容器本体４Ｑ内の排泄物が、その開放された底面開口を通して落下し、このようにして排泄物を容易に取り除くことができる。
【０１４６】
〔動物用トイレの第１１の実施形態〕
次に、図２８を参照して、動物用トイレの第１１の実施形態について説明する。この第１１の実施形態においては、トイレ容器本体の側壁に開閉壁構造が設けられている。
【０１４７】
図２８において、第１１の実施形態においては、動物用トイレ２Ｒのトイレ容器本体４Ｒの底壁４２２の一部、この形態ではその下部に開閉壁構造４０２Ｒが設けられている。この開閉壁構造４０２Ｒは、トイレ容器本体４Ｒの側壁４２２Ｒの大部分に設けるようにしてもよい。
この開閉壁構造４０２Ｒは、第１０の実施形態の開閉壁構造と実質上同様の構成であり、内側に配設される網状壁部４０４と、外側に配設されるプレート状壁部４０６とを有し、網状壁部４０４及びプレート状壁部４０６が開閉自在に装着されている。
【０１４８】
この第１１の実施形態の動物用トイレ２Ｒにて排泄物を取り除くには、開閉壁構造４０２Ｒが下方に向くように傾斜させ、この状態にて、トイレ容器本体開閉壁構造４０２Ｒのプレート状壁部４０６を開状態にした後に網状壁部４０４を開状態にすればよい。プレート状壁部４０６を開状態にすると、トイレ容器本体４Ｒ内の猫砂がその底面開口及び網状壁部４０４を通して落下し、その後プレート状壁部４０６を開状態にすると、トイレ容器本体４Ｑ内の排泄物がその底面開口を通して落下し、このようにして排泄物を容易に取り除くことができる。
【０１４９】
〔動物用トイレの第１２の実施形態〕
次に、図２９及び図３０を参照して、動物用トイレの第１２の実施形態について説明する。この第１２の実施形態においては、かご体に代えて受け体が用いられている。
【０１５０】
図２９において、この動物用トイレは、トイレ容器本体４Ｔと、このトイレ容器本体４Ｔ内に収容される受け体５０２と、トイレ容器本体４Ｔの上方を覆うカバー体５０４とを備えている。図示のトイレ容器本体４Ｔは略矩形状で、底壁５０６（図３０）及び４側壁５０８，５１０，５１２，５１４を有し、その上面は開放されている。このトイレ容器本体４Ｔ内に、猫砂８が収容される。
受け体５０２は、動物の排泄物を受け入れるための本体部５１６を備え、この本体部５１６は、間隔を置いて配設された一対の端壁５１８，５２０と、かかる一対の端壁５１８，５２０間に設けられた収容壁５２２とを有する。一対の端壁５１８，５２０は略半円状であり、これら端壁５１８，５２０の弧状部に収容壁５２２が設けられ、一対の端壁５１８，５２０及び収容壁５２２は、略半円筒状の収容部を規定する。
【０１５１】
この受け体５０２は、少なくとも一部が網状に形成するのが重要であり、受け体５０２を持ち上げたときに、この網状の部位を通して猫砂が落下するようになる。この形態では、受け体５０２の収容壁５２２の全体が網状に形成されているが、その底部を網状に形成するようにしてもよい。
【０１５２】
この収容壁５２２の先端部は、猫砂８内への侵入を容易にするために、先細に形成するのが好ましく、猫砂内への侵入を更に容易にするために、受け体５０２の幅方向（図２９において左上から右下の方向）に間隔をおいて先端突部５２４を設けるのが好ましい。この受け体５０２の基部側に取っ手部５２８が設けられ、この取っ手部５２８は外方に延びている。
【０１５３】
この受け体５０２は、トイレ容器本体４Ｔに着脱自在に且つ回動自在に装着される。図示の形態では、トイレ容器本体４Ｔの対向する側壁５０８，５１２に略Ｕ字状の受け凹部５３２，５３４が設けられ、受け凹部５３２，５３４は側壁５０８，５１の上縁に開放されている。また、受け体５０２の端壁５１８，５２０の外面には、外方に突出する支持部５３６，５３８が設けられ、これら支持部５３６，５３８がトイレ容器本体４Ｔの受け凹部５３２，５３４に回動自在に受け入れられる。従って、この受け体５０２は、支持部５３６，５３８を上方からトイレ容器本体４Ｔの受け凹部５３２，５３４に挿入することによって、このトイレ容器本体４Ｔに着脱自在に且つ回動可能に支持され、かく支持した状態で図３０に示すように回動することができる。
【０１５４】
次に、カバー体５０４について説明すると、図示のカバー体５０６は、トイレ容器本体４Ｔの上面開口を覆うためのドーム状のカバー本体５４２を備え、このカバー本体５４２がトイレ容器本体４Ｔの上面開口部に着脱自在に装着される。このカバー本体５４２の一端側（図２９において右側）に出入開口５４４が設けられ、この出入開口５４４を通して動物（例えば、猫）が内部空間（トイレ容器本体４Ｔ及びカバー体５０４により規定される空間）に出入りする。
【０１５５】
この形態では、カバー本体５４２の出入開口５４４の下側に内側に延びる飛散防止プレート部５４６が設けられている。出入開口５４４付近を動くとき、動物（例えば、猫）は、この飛散防止プレート部５４６の上側を通過して、トイレ容器本体４Ｔ内の猫砂８に直接的に触ることはなく、これによって、猫砂８の飛散を防止して猫砂８が出入開口５４４を通して外部に飛散するのを防ぐことができる。
【０１５６】
次に、上述した動物用トイレ２Ｔの使用方法について説明する。使用するに際し、図３０（ａ）に示すように、トイレ容器本体４Ｔ内に猫砂８を入れる。そして、受け体５０２をトイレ容器本体４Ｔに着脱自在に装着する。この装着は、受け体５０２を裏返した状態に保持し、かかる状態にて支持部５３６，５３８を上方からトイレ容器本体４Ｔの受け凹部５３２，５３４に挿入して載置すればよく、かく載置することによって、回動可能に支持される。
【０１５７】
その後、トイレ容器本体４Ｔに装着した状態にて、取っ手部５２８を摘んで受け体５０２を矢印５５２で示す方向（図３０（ａ）において時計方向）に回動させて図３０（ｂ）で示す受け位置まで回動させる。この回動の際には、受け体５０２は支持部５３６，５３８を中心として回動され、また受け体５０２の収容壁５２２の先端部に先端突部５２４が設けられ、この先端部及び先端突部５２４が先細に形成されているので、かかる先端部及び先端突部５２４が猫砂８に食い込むように作用し、これによって、受け体５０２を上記受け位置まで容易に回動させることができる。
【０１５８】
この受け位置の状態においては、図３０（ｂ）で示すように、取っ手部５２８がトイレ容器本体４Ｔの上縁（具体的には、側壁５１０の上縁）に当接し、かく当接することによって所定角度位置を越える回動が阻止され、受け体５０２は、この所定角度位置に対応する受け位置に保持される。また、この受け位置においては、受け体５０２の底部を含む大部分が猫砂８内に埋まった状態となり、動物（例えば、猫）は、受け体５０２内の猫砂８上に排泄するようになる。
【０１５９】
しかる後、図３０（ｃ）に示すように、トイレ容器本体４Ｔの上面開口を覆うようにカバー体５０４を装着し、このような状態において、動物用トイレ、好ましくは猫用トイレとして使用する。動物（例えば、猫）は、カバー体５０６の出入開口５４４を通して内部に入り、トイレ容器本体４Ｔの猫砂８上に排泄し、排泄した後出入開口５４を通して外部に出る。
【０１６０】
受け体５０２内の排泄物５５４を取り除くには、図３０（ｄ）に示すように、受け体５０２を上方に持ち上げればよい。受け体５０２は、取っ手部５２８を摘むことによって容易に持ち上げることができ、かく持ち上げると、受け体５０２内の猫砂８が網目状の部位を通してトイレ容器本体４Ｔ内に落下し、排泄物５５４が受け体５０２内に残り、このようにして受け体５０２内の猫砂８上に排泄された排泄物５５４を容易に取り除くことができる。
【０１６１】
〔動物用トイレの第１３の実施形態〕
次に、図３１及び図３２を参照して、動物用トイレの第１３の実施形態について説明する。この第１３の実施形態においては、受け体に修正が施されている。
【０１６２】
図３１において、この動物用トイレは、トイレ容器本体４Ｕと、このトイレ容器本体４Ｕ内に収容される受け体５０２Ｕと、トイレ容器本体４Ｕの上方を覆うカバー体５０４Ｕ（図３２（ｄ）参照）とを備えている。このトイレ容器本体４Ｕは、第１２の実施形態のものと実質上同一のものでよい。
受け体５０２Ｕは、相互に回動自在に連結された第１及び第２受け部５６２，５６４を有し、これら第１及び第２受け部５６２，５６によって略半円筒状の収容部を規定する。この形態では、第１受け部５６２は、間隔を置いて配設された一対の端壁５６６，５６８と、かかる一対の端壁５６６，５６８間に設けられた収容壁５２２とを有し、これら端壁５６６，５６８の弧状部に収容壁５７０が設けられている。また、第２受け部５６４は、間隔を置いて配設された一対の端壁５７２，５７４と、かかる一対の端壁５７２，５７４間に設けられた収容壁５７６とを有し、これら端壁５７２，５７４の弧状部に収容壁５７６が設けられている。
【０１６３】
この形態では、第１受け部５６２の一対の端壁５６６，５６８の端部には、第２受け部５６４に向けて突出する連結突部５７８，５８０が設けられ、かかる連結突部５６６，５６８の外面に連結支持ピン５８２，５８４が設けられ、かかる連結支持ピン５８２，５８４は、後述するように、受け体５０２Ｕの支持部として機能する。また、第２受け部５６４の一対の端壁５７２，５７４の端部には、第１受け部５６２に向けて突出する連結突部５８６，５８８が設けられ、かかる連結突部５６６，５６８に連結孔（図示せず）が設けられ、これら連結孔に第１受け部５６２の連結支持ピン５８２，５８４が挿入されて連結されている。このように構成されているので、第１及び第２受け部５７６２，５６４は、連結支持ピン５８２，５８４を中心として相互に回動可能に連結され、受け体５０２Ｕの底部を開放する開状態（図３２（ａ）に示す状態）とその底部を閉じる閉状態（図３２（ｃ）〜（ｅ）に示す状態）との間を回動可能に連結される。そして、この閉状態においては、第１受け部５６２の端壁５６６，５６８及び収容壁５７０並びに第２受け部５６４の端壁５７２，５７４及び収容壁５７６は、上述したと同様の略半円筒状の収容部を規定する。
【０１６４】
この実施形態においても、受け体５０２Ｕは、少なくとも一部が網状に形成するのが重要であり、この形態では、受け体５０２Ｕの第１及び第２受け部５６２，５６４の収容壁５７０，５７６の全体が網状に形成されているが、それらの底部を網状に形成するようにしてもよく、或いは第１及び第２受け部５７０，５７６のいずれか一方にのみ形成するようにしてもよい。
【０１６５】
この形態においても、第１２の実施形態と同様に、第１及び第２受け部５６２，５６４の収容壁５７０，５７６の先端部は、猫砂８内への侵入を容易にするために、先細に形成するのが好ましく、猫砂８内への侵入を更に容易にするために、これら収容壁５７０，５７６の先端部に先端突部５７８，５８０を設け、これら先端突部５７８，５８０が相互に噛み合って収容部を規定するようにするのが好ましい。また、受け体５０２Ｕの第１及び第２受け部５６２，５６４の基部側に第１及び第２取っ手部５９０，５９２が設けられ、この取っ手部５９０，５９２は外方に延びている。
【０１６６】
この受け体５０２Ｕは、第１２の実施形態と同様に、トイレ容器本体４Ｕに着脱自在に且つ回動自在に装着される。即ち、受け体５０２Ｕの支持部（具体的には、第１受け部５６２の連結支持ピン５８２，５８４）がトイレ容器本体４Ｕの受け凹部５３２，５３４に回動自在に受け入れられ、かく支持された状態にて、この受け体５０２Ｕの第１及び第２受け部は、図３２（ａ）に示す開状態と図３２（ｃ）及び（ｄ）で示す閉状態との間を回動可能であり、閉状態まで回動されると、受け体５０２Ｕ（即ち、第１及び第２受け部５６２，５６４）が受け位置に保持される。
【０１６７】
カバー体５０４Ｕは、第１２の実施形態と同様であり、トイレ容器本体４Ｕの上面開口を覆うためのドーム状のカバー本体５４２Ｕを備え、このカバー本体５４２Ｕがトイレ容器本体４Ｕの上面開口部に着脱自在に装着される。尚、このカバー本体５４２Ｕには、第１及び第２受け部５６２，５６４の第１及び第２取っ手部５９０，５９２の外部への突出を許容するための開口５９４，５９６が設けられる。
【０１６８】
次に、上述した動物用トイレ２Ｕの使用方法について説明する。使用するに際し、図３２（ａ）に示すように、トイレ容器本体４Ｕ内に猫砂８を入れる。そして、受け体５０２Ｕを開状態に保持した状態でもってトイレ容器本体４Ｕに着脱自在に装着する。第１及び第２受け部５６２，５６４の第１及び第２取っ手部５９０，５９２が相互に当接する角度位置まで回動すると、受け体５０２Ｕが上記開状態に保持され、かかる状態でもって、受け体５０２Ｕの支持部（具体的には、第１受け部５６２の連結支持ピン５８２５８４）を上方からトイレ容器本体４Ｕの受け凹部５３２，５３４に挿入して載置すればよく、かく載置することによって、回動可能に支持される。
【０１６９】
その後、図３０（ｂ）に示すように、トイレ容器本体４Ｕに装着した状態にて、第１及び第２受け部５６２，５６４の第１及び第２取っ手部５９０，５９２を摘んで第１及び第２受け部５６２，５６４を矢印５９８，６００で示す方向に回動させて図３０（ｃ）で示す受け位置まで回動させる。この回動の際には、受け体５０２Ｕの第１及び第２受け部５６２，５６４は連結支持ピン５８２，５８４を中心として回動される。第１及び第２受け部５６２，５６４の収容壁５７０，５７２の先端部に先端突部５８６，５８８が設けられ、この先端部及び先端突部５８６，５８８が先細に形成されているので、かかる先端部及び先端突部５８６，５８８が猫砂８に食い込むように作用し、これによって、受け体５０２Ｕを上記受け位置まで容易に回動させることができる。
【０１７０】
この受け位置の状態においては、図３０（ｃ）で示すように、第１及び第２受け部５６２，５６４の第１及び第２取っ手部５９０，５９２がトイレ容器本体４Ｕの上縁（具体的には、第１取っ手部５９０が側壁５１４に、第２取っ手部５９２が側壁５１０に）に当接し、かく当接することによって所定角度位置を越える回動が阻止され、受け体５０２Ｕ（第１及び第２受け部５６２，５６４）は、この所定角度位置に対応する受け位置に保持されるとともに、受け体５０２Ｕは閉状態に保持される。また、この受け位置においては、受け体５０２Ｕの底部を含む大部分が猫砂８内に埋まった状態となる。
【０１７１】
しかる後、図３０（ｄ）に示すように、トイレ容器本体４Ｕの上面開口を覆うようにカバー体５０４Ｕを装着し、このような状態において、動物用トイレ、好ましくは猫用トイレとして使用する。動物（例えば、猫）は、カバー体５０６の出入開口５４４を通して内部に出入りしてトイレ容器本体４Ｕの猫砂８上に排泄する。
【０１７２】
受け体５０２Ｕ内の排泄物５５４を取り除くには、図３０（ｅ）に示すように、受け体５０２Ｕを上方に持ち上げればよい。受け体５０２Ｕは、第１及び第２受け部５６２，５６４の第１及び第２取っ手部５９０，５９２を摘むことによって閉状態のまま容易に持ち上げることができ、かく持ち上げると、受け体５０２Ｕ内の猫砂８が網目状の部位を通してトイレ容器本体４Ｕ内に落下し、排泄物５５４が受け体５０２Ｕ内に残る。そして、残った排泄物５５４を除去するには、受け体５０２Ｕを閉状態のまま裏返す、或いは、受け体５０２Ｕを開状態にすればよく、このようにしてトイレ容器本体４Ｕ内の排泄物５５４を容易に取り除くことができる。
【０１７３】
以上、本発明に従う動物用トイレの実施形態について説明したが、本発明はこれら実施形態に限定されず、本発明の範囲を逸脱することなく種々の変更乃至修正が可能である。
【０１７４】
例えば、上述した実施形態においては、トイレ容器本体４（４Ｅ）内にかご体１２を収容する際に、トイレ容器本体４（４Ｅ）内に単に載置するようにしているが、蓋体６（６Ｅ）の開口１０と収容したかご体１２とを所定の位置関係にするために、トイレ容器本体４の底面に位置付け手段（例えば、位置付け突部、位置決めピン）などを設けるようにしてもよい。
【０１７５】
また、例えば、第４、第６〜第９の実施形態では、上側（外側）に蓋部材２３４（２８０）を設け、下側（内側）に補助蓋体２３８（２８４）を設けているが、これとは反対に、上側（外側）に補助蓋体２３８（２８４）を設け、下側（内側）に蓋部材２３４（２８０）を設けるようにしてもよい。
【０１７６】
また、例えば、第４、第６〜第９の実施形態では、蓋部材２３４（２８０）に加えて補助蓋体２３８（２８４）を設けているが、この補助蓋体２３８（２８４）は必ず必要なものではなく、猫砂８の飛散が少ないなどのときには省略することができる。
【０１７７】
また、例えば、上述した実施形態では、動物用トイレを猫が使用する猫用トイレに適用して説明したが、この動物用トイレを犬、うさび、ハムスターなどの他の動物用トイレとして用いることもできる。
【符号の説明】
【０１７８】
２，２Ｅ，２Ｉ，２Ｊ，２Ｋ，２Ｌ，２Ｍ，２Ｎ，２Ｐ，２Ｑ，２Ｒ，２Ｓ，２Ｔ，２Ｕ  動物用トイレ
４，４Ｅ，４Ｉ，４Ｊ，４Ｋ，４Ｌ，４Ｍ，４Ｎ，４Ｐ，４Ｑ，４Ｒ，４Ｓ，４Ｔ，４Ｕ  トイレ容器本体
６，６Ｅ  蓋体
８  猫砂
１０  排泄用開口
１２，１２Ａ，１２Ｂ，１２Ｃ，１２Ｄ，１２Ｆ，１２Ｇ，１２Ｈ  かご体
１４，１４Ａ，１４Ｂ，１４Ｃ，１４Ｄ，１４Ｆ，１４Ｇ，１４Ｈ  かご本体部
１６  取っ手部
１８，１８Ａ，１８Ｂ，１８Ｃ，１８Ｄ，１８Ｆ，１８Ｇ  底壁
２７  排泄物
５６，８２、１１６  ロック手段
【図１】
0005269874.tif 000002
【図２】
0005269874.tif 000003
【図３】
0005269874.tif 000004
【図４】
0005269874.tif 000005
【図５】
0005269874.tif 000006
【図６】
0005269874.tif 000007
【図７】
0005269874.tif 000008
【図８】
0005269874.tif 000009
【図９】
0005269874.tif 000010
【図１０】
0005269874.tif 000011
【図１１】
0005269874.tif 000012
【図１２】
0005269874.tif 000013
【図１３】
0005269874.tif 000014
【図１４】
0005269874.tif 000015
【図１５】
0005269874.tif 000016
【図１６】
0005269874.tif 000017
【図１７】
0005269874.tif 000018
【図１８】
0005269874.tif 000019
【図１９】
0005269874.tif 000020
【図２０】
0005269874.tif 000021
【図２１】
0005269874.tif 000022
【図２２】
0005269874.tif 000023
【図２３】
0005269874.tif 000024
【図２４】
0005269874.tif 000025
【図２５】
0005269874.tif 000026
【図２６】
0005269874.tif 000027
【図２７】
0005269874.tif 000028
【図２８】
0005269874.tif 000029
【図２９】
0005269874.tif 000030
【図３０】
0005269874.tif 000031
【図３１】
0005269874.tif 000032
【図３２】
0005269874.tif 000033